(57)【要約】【課題】反発可能な打撃部材が直ちに反発し、反発式打撃部材が瞬時に音源信号を音源装置へ送信して音を発し、音源装置が誤判断することを防ぐ電子ドラムの反発式打撃装置を提供する。【解決手段】電子ドラムの反発式打撃装置は、打撃装置１を備える。打撃装置１は、電子ドラム２、リム２２及び反発打撃部材３を有する。電子ドラム２は、一側面に打面２１が設けられる。打面２１上には、リム２２が設けられる。反発打撃部材３の内側には、収容部が設けられる。収容部内には、打撃モジュールが配設される。反発打撃部材３の一側辺には、凹溝３３が形成され、凹溝３３がリム２２上に嵌設されると、反発打撃部材３がリム２２上に配設される。【選択図】図２
0003228669.tif 000002
【実用新案登録請求の範囲】
【請求項１】
打撃装置を備えた、電子ドラムの反発式打撃装置であって、
前記打撃装置は、電子ドラム、リム及び反発打撃部材を有し、
前記電子ドラムは、一側面に打面が設けられ、前記打面上には、前記リムが設けられ、
前記反発打撃部材の内側には、収容部が設けられ、前記収容部内には、打撃モジュールが配設され、前記反発打撃部材の一側辺には、凹溝が形成され、前記凹溝が前記リム上に嵌設されると、前記反発打撃部材が前記リム上に配設されることを特徴とする電子ドラムの反発式打撃装置。
【請求項２】
前記打撃モジュールは、略楕円形を呈して前記収容部内に配設されるとともに、前記反発打撃部材により完全に覆われないことを特徴とする請求項１に記載の電子ドラムの反発式打撃装置。
【請求項３】
前記打撃モジュールには、音源信号線の一端が接続され、
前記音源信号線の他端は、音源装置に接続されることを特徴とする請求項１に記載の電子ドラムの反発式打撃装置。
【考案の詳細な説明】
【技術分野】
【０００１】
本考案は、電子ドラムの枠上に配設する反発式打撃装置に関し、特に、反発可能な打撃部材が直ちに反発し、反発式打撃部材が瞬時に音源信号を音源装置へ送信して音を発し、音源装置が誤判断することを防ぐ電子ドラムの反発式打撃装置に関する。
【背景技術】
【０００２】
現代人の生活は、毎日気が張って忙しく、公務、私事に関わらず様々なストレスが次から次に起こるため、暇な時間ができたときに、多めに休むかストレスを発散させることによりリラックスする必要があった。太鼓を叩くことはストレスを発散させる一つの方法であり、思う存分楽器を叩き、音楽に合わせて体を揺らすと楽曲の旋律をよりよく楽しむことができ、科学技術の進歩及び電子化の発展に伴い、ジャズドラムなどの打楽器の音も続々と電子化されている。シンセサイザーなどを利用して各種ドラムの音を作ると小型化することができ、特殊なデザインに設計することができるため、電子ドラムを学ぶ人が多い理由の一つとなっている。しかし、電子ドラムにセンサーを取り付けてドラマーが電子ドラムを叩く場合、センサーにより打撃力を感知し、スピーカーに信号を送信するが、センサーには単点設置方式が採用されていたため、正しい位置を叩かない場合や複数点を叩く場合、センサーが故障したり機能が失われたりすることがあった。
【０００３】
そこで、本考案者は、上記課題を解決するための鋭意検討を重ねた結果、本考案に想到するに至った。
【考案の概要】
【考案が解決しようとする課題】
【０００４】
本考案の主な目的は、反発可能な打撃部材が直ちに反発し、反発式打撃部材が瞬時に音源信号を音源装置へ送信して音を発し、音源装置が誤判断することを防ぐ電子ドラムの反発式打撃装置を提供することにある。
【考案の効果】
【０００５】
本考案の電子ドラムの反発式打撃装置は、打撃装置を備える。打撃装置は、電子ドラム及び反発打撃部材を有する。上述した電子ドラムは、一側面に打面が設けられる。打面上には、リムが設けられる。リム上には、反発打撃部材が配設される。反発打撃部材内には、打撃モジュールが配設される。打撃モジュールには、音源信号線が接続される。ドラマーがドラムスティックにより打撃モジュールを叩くと、打撃モジュールが反発打撃部材により完全に覆われていないため、反発効果が発生する上、打撃モジュールを叩くと音源信号が正確に発生し、音源信号線を介して音源装置に送信して音源装置が音を発し、ドラマーがドラムスティックの一端で打面を押圧し、打撃モジュールを一端で叩く方式を採用することにより、ドラムスティックを高く振り上げて叩かなくても、リムを叩いた音を再現してドラムを叩いたときの手の感覚が得られる。
【図面の簡単な説明】
【０００６】
【図１】図１は、本考案の一実施形態に係る電子ドラムの反発式打撃装置を示す斜視図。
【図２】図２は、本考案の一実施形態に係る電子ドラムの反発式打撃装置を示す分解斜視図。
【図３】図３は、本考案の一実施形態に係る電子ドラムの反発式打撃装置を示す上視図。
【図４】図４は、本考案の一実施形態に係る電子ドラムの反発式打撃装置を示す断面図。
【図５】図５は、本考案の一実施形態に係る電子ドラムの反発式打撃装置を示す説明図（１）。
【図６】図６は、本考案の一実施形態に係る電子ドラムの反発式打撃装置を示す説明図（２）。
【図７】図７は、本考案の一実施形態に係る電子ドラムの反発式打撃装置を示す説明図（３）。
【考案を実施するための形態】
【０００７】
本考案の技術手段及びそれにより達成可能な効果を、より完全かつ明白に開示するために、開示した添付の図面及び符号と併せて本考案を以下で詳説する。
【０００８】
図１〜図７を参照する。図１は、本考案の一実施形態に係る電子ドラムの反発式打撃装置を示す斜視図である。図２は、本考案の一実施形態に係る電子ドラムの反発式打撃装置を示す分解斜視図である。図３は、本考案の一実施形態に係る電子ドラムの反発式打撃装置を示す上視図である。図４は、本考案の一実施形態に係る電子ドラムの反発式打撃装置を示す断面図である。図５は、本考案の一実施形態に係る電子ドラムの反発式打撃装置を示す説明図（１）である。図６は、本考案の一実施形態に係る電子ドラムの反発式打撃装置を示す説明図（２）である。図７は、本考案の一実施形態に係る電子ドラムの反発式打撃装置を示す説明図（３）である。
【０００９】
図１〜図３に示すように、本考案の一実施形態に係る電子ドラムの反発式打撃装置は、打撃装置１を備える。打撃装置１は、電子ドラム２及び反発打撃部材３を有する。
【００１０】
電子ドラム２は、一側面に打面２１が設けられる。打面２１上には、リム２２が設けられる。
【００１１】
反発打撃部材３は、弾性を有するオブジェクトである。上述した反発打撃部材３の内側には、収容部３１が設けられる。収容部３１内には、打撃モジュール３２が配設される。打撃モジュール３２は、略楕円形を呈する。上述した反発打撃部材３の一側辺には、凹溝３３が形成される。凹溝３３がリム２２上に嵌設されると、上述した反発打撃部材３がリム２２上に配設される。
【００１２】
打撃モジュール３２は、収容部３１内に配設されるとともに、上述した反発打撃部材３により完全に覆われない。
【００１３】
打撃モジュール３２には、音源信号線３２１の一端が接続される。音源信号線３２１の他端は、音源装置３４に接続される。
【００１４】
上述した電子ドラム２の一側面には、打面２１が設けられる。打面２１上には、リム２２が設けられる。また、上述した反発打撃部材３は、弾性を有するオブジェクトであり、上述した反発打撃部材３の内側には、収容部３１が設けられる。収容部３１内には、打撃モジュール３２が配設される。打撃モジュール３２は、略楕円形を呈して収容部３１内に配設されるとともに、上述した反発打撃部材３により完全に覆われない。打撃モジュール３２には、音源信号線３２１の一端が接続される。音源信号線３２１の他端は、音源装置３４に接続される。上述した反発打撃部材３の一側辺には凹溝３３が形成される。凹溝３３がリム２２上に嵌設されると、上述した反発打撃部材３がリム２２上に配設される。実際の使用では、まず、凹溝３３をリム２２上に嵌設すると、上述した反発打撃部材３が上述した電子ドラム２のリム２２上に配設される。一般的にドラマーがリム２２を叩く場合、上述した電子ドラム２の右半分を叩く習慣があるため、上述した反発打撃部材３が上述した電子ドラム２のクロックポジションで約１時から４時に位置させると、ドラマーの習慣に合わせることができる。また、反発打撃部材３の内側の収容部３１内には、打撃モジュール３２が配設される。収容部３１内の打撃モジュール３２は、略楕円形を呈するとともに、上述した反発打撃部材３により完全に覆われることはない。ドラマーがドラムスティックで反発打撃部材３を叩くと、反発打撃部材３に反発作用力が発生する。つまり、打撃モジュール３２は、略楕円形を呈し、収容部３１内に配設される。打撃モジュール３２の他方の一部のみを覆う反発打撃部材３は、中空状で内容物が無い状態である。上述した反発打撃部材３は、弾性を有するオブジェクトである。そのため、ドラムスティックで上述した反発打撃部材３を叩くと、打撃モジュール３２の覆われていない部分が圧力の影響を受けて緩衝力が形成され、その緩衝力により反発作用力が発生し、反発打撃部材３を叩くと、打撃モジュール３２が押圧され、回路効果（circuit  effect）が発生する。その回路効果は、音源信号を正確に発生させ、音源信号線３２１を介して音源装置３４へ送信して音を発し、ドラマーは、ドラムスティックを振り上げてリム２２上に設けられた反発打撃部材３を叩かなければ打面２１及びリム２２の２種類の音を同時に出すことができず、ドラムを叩く音、質感及び動作に悪影響を与え、上述した打撃装置１の設計により、ドラマーは、そのドラムスティックの一端を打面２１上に押し当て、他端でリム２２を叩く方式により、打撃モジュール３２を叩くとリム２２の音がクリアに表現されてリム２２の音が完全に再現され、ドラマーに最適な使用状態を提供することができる。
【００１５】
上述したことから分かるように、本考案は打撃装置１を備える。打撃装置１は、電子ドラム２及び反発打撃部材３を有する。上述した電子ドラム２の一側面には、打面２１が設けられる。打面２１上には、リム２２が設けられる。リム２２上には、上述した反発打撃部材３が配設される。上述した反発打撃部材３内には、打撃モジュール３２が配設される。打撃モジュール３２は、略楕円形を呈するとともに、上述した反発打撃部材３により完全に覆われることはない。ドラマーがドラムスティックで打撃モジュール３２を叩くと、反発作用力が発生する。打撃モジュール３２を叩くと、音源信号が正確に発生し、音源信号線３２１を介して音源装置３４に送信されて音を発し、ドラマーは、ドラムスティックの一端を打面２１上に押し当て、他端で打撃モジュール３２を叩くことができるため、ドラムスティックを振り上げて叩かなくても、上述した打撃装置１を叩いた音と、叩いたときの手の感覚が得られる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１  打撃装置
２  電子ドラム
３  反発打撃部材
２１  打面
２２  リム
３１  収容部
３２  打撃モジュール
３３  凹溝
３４  音源装置
３２１  音源信号線
【図１】
0003228669.tif 000003
【図２】
0003228669.tif 000004
【図３】
0003228669.tif 000005
【図４】
0003228669.tif 000006
【図５】
0003228669.tif 000007
【図６】
0003228669.tif 000008
【図７】
0003228669.tif 000009